(57)【要約】【課題】三脚の使用時に脚の内部に異物が侵入することを防止できるレッグカバーを提供すること。【解決手段】レッグカバー１は、防水性のシート部材１１ａで構成され、三脚１００の脚１１０を挿入可能に構成された一方向に長い胴部２１と、シート部材１１ａが二重に構成され、胴部２１と一体の底部２２と、胴部２１の上端に設けられ、脚１１０に挿入された胴部２１を上端で固定する紐体１２と、を備える。【選択図】      図２
2018138977.tif 000002
【特許請求の範囲】
【請求項１】
防水性のシート部材で構成され、三脚の脚を挿入可能に構成された一方向に長い胴部と、
前記シート部材が二重に設けられ、前記胴部と一体の底部と、
前記胴部の上端に設けられ、前記脚に挿入された前記胴部を上端で固定する紐体と、
を備えるレッグカバー。
【請求項２】
前記胴部は、一対の前記シート部材を重ね合わせることで構成され、
前記底部は、前記一対のシート部材の端部を折り返して重ね合わせることで前記シート部材が二重に設けられ、
前記胴部の長手方向に沿った縁部を溶着した第１溶着部と、
前記底部の二重に構成された前記シート部材の端部でそれぞれ溶着した第２溶着部と、
を含む、請求項１に記載のレッグカバー。
【請求項３】
前記胴部の長手方向の、前記底部とは相対する端部に一体に設けられ、前記シート部材が折り返されることで二重に構成された口部をさらに備え、
前記胴部は、前記口部側の端部に設けられ、前記紐体を挿通する孔部を有する、
請求項１に記載のレッグカバー。
【請求項４】
前記孔部は、前記胴部に設けられた孔又は切欠である、請求項３に記載のレッグカバー。
【発明の詳細な説明】
【技術分野】
【０００１】
本発明は、撮影機材等の三脚に用いられるレッグカバーに関する。
【背景技術】
【０００２】
従前から、カメラやビデオカメラ等の撮影機材を固定するために三脚が用いられている（例えば、特許文献１参照）。例えば、三脚は、撮影機材を任意の高さに配置するために、伸縮可能な脚を有する。このような三脚は、屋内のみならず、屋外においても使用されている。
【先行技術文献】
【特許文献】
【０００３】
【特許文献１】特開平８−１２１６８７号公報
【発明の概要】
【発明が解決しようとする課題】
【０００４】
上述した三脚では、以下の問題があった。即ち、三脚の脚は、伸縮可能とするために、複数のパイプにより構成される。しかしながら、屋外において使用する場合に、使用環境によっては、脚が水や砂に曝される。
【０００５】
例えば、河川や海等の水場に三脚を設置すると、脚の一部が水中に配置され、パイプ間の隙間から脚の内部に水が浸入する虞がある。脚の内部に水が浸入すると、脚が腐食する虞や、内部に溜まった水が腐って異臭を放つ虞がある。
【０００６】
また、砂浜や砂丘等の砂地に三脚を設置すると、隣り合うパイプ間や脚の内部に砂が侵入する虞がある。砂がパイプ間に侵入すると、パイプの伸縮時に、パイプの噛み込みが生じる虞や、パイプの外面が傷つく虞がある。
【０００７】
そこで本発明は、三脚の使用時に脚の内部に異物が侵入することを防止できるレッグカバーを提供することを目的とする。
【課題を解決するための手段】
【０００８】
本発明の一態様によれば、防水性のシート部材で構成され、三脚の脚を挿入可能に構成された一方向に長い胴部と、前記シート部材が二重に構成され、前記胴部と一体の底部と、前記胴部の上端に設けられ、前記脚に挿入された前記胴部を上端で固定する紐体と、を備える。
【発明の効果】
【０００９】
本発明によれば、三脚の使用時に脚の内部に異物が侵入することを防止できるレッグカバーを提供することができる。
【図面の簡単な説明】
【００１０】
【図１】本発明の一実施形態に係る三脚に装着したレッグカバーの構成を示す斜視図。
【図２】同レッグカバーの構成を示す平面図。
【発明を実施するための形態】
【００１１】
以下、本発明の一実施形態に係る三脚１００に用いられるレッグカバー１について、図１及び図２を用いて説明する。  
図１は、本発明の一実施形態に係るレッグカバー１の構成であって、三脚１００に装着した一例を示す斜視図、図２はレッグカバー１の構成を示す平面図である。
【００１２】
ここで、レッグカバー１が装着される三脚１００は、下端に石突き１１０ａを有する、伸縮可能な３つの脚１１０と、脚１１０を回転可能に保持する基部１２０と、基部１２０に設けられた雲台１３０と、を備えている。なお、雲台１３０は、基部１２０に昇降棒を介して設けられていても良い。なお、三脚１００は、このような構成に限られない。
【００１３】
レッグカバー１は、１つの脚１１０を挿入可能に、一方向に長く、当該一方向の端部が開口する袋状に構成される。また、レッグカバー１は、脚１１０を挿入したあと、脚１１０の外面と空気が抜ける程度の隙間が生じるように、開口する端部を絞ることが可能に構成される。なお、図１においては、３つの脚１１０のうち、２つの脚１１０にレッグカバー１を取り付けた状態を示すが、レッグカバー１は、使用の一例として、全ての脚１１０に取り付けられる。
【００１４】
なお、レッグカバー１は、用途に応じて、三脚１００の３つの脚１１０の全てに付けるのではなく、いずれかに装着させてもよい。例えば、３つの脚が全て水中に配置される場合には、レッグカバー１は、３つの脚１１０に装着される。また、例えば、いずれかが地上に、他が水中に配置される場合には、図１に示すように、レッグカバー１は、水中に配置される脚１１０に装着されるか、又は、全ての脚１１０に装着される。具体例として、レッグカバー１は、袋体１１と、紐体１２と、留め具１３と、を備えている。
【００１５】
袋体１１は、熱によって溶着可能な、防水性を有する樹脂材料のシートにより構成される。ここで、袋体１１に用いるシートは、脚１１０に装着した状態で水中に配置されても、水が浸みることがない防水性を有するシートが用いられる。
【００１６】
袋体１１は、一対の一方向に長いシート部材１１ａを溶着させることで構成される。袋体１１は、一方向に長い胴部２１と、胴部２１の一端側を閉塞する、胴部２１と連続して形成された底部２２と、胴部２１の他端側に設けられ、胴部２１と連続して形成された口部２３と、口部２３に設けられ、胴部２１の長手方向に直交する方向に複数が間欠的に配置された孔部２４と、を備えている。袋体１１は、胴部２１、底部２２の一部及び口部２３の一部を溶着した溶着部２５を有する。
【００１７】
胴部２１は、袋体１１の口部２３側から底部２２側まで漸次幅が減少するか、又は、同じ幅に構成される。また、胴部２１の幅は、一対のシート部材１１ａ間に生じる空間に脚１１０を挿入可能な幅に構成される。換言すると、胴部２１は、脚１１０の挿入する部位の最大外周長よりも内面の幅方向の長さの和が大きく構成される。
【００１８】
底部２２は、一対のシート部材１１ａが二重に配置されることで構成される。具体例として、底部２２は、一対のシート部材１１ａの一端を折り返して重ね合わせて一対のシート部材１１ａを溶着さることで、二重に構成される。より具体的には、底部２２は、袋体１１の一方の端部よりも他方の端部側の位置で、二重に重なったシート部材１１ａの一方の端部が位置する部位を、それぞれ溶着することにより構成される。
【００１９】
口部２３は、開口端においてシート部材１１ａが二重折り返されて構成される。具体例として、口部２３は、一対のシート部材１１ａの他方の端部をそれぞれ折り返して、当該折り返した部位を、胴部２１側の端部で溶着することで二重に構成される。
【００２０】
孔部２４は、袋体１１の胴部２１の口部２３側の端部に設けられる。換言すると、孔部２４は、口部２３に隣接して、胴部２１の端部側に配置される。孔部２４は、胴部２１に設けられ、紐体１２を挿通可能に構成された複数の孔又は複数の切欠である。孔部２４は、紐体１２を挿通可能な径又は幅に構成される。孔部２４は、複数の孔又は切欠が、胴部２１の幅方向に沿って設けられる。
【００２１】
紐体１２は、胴部２１の幅の２倍よりも長く構成され、孔部２４に、胴部２１の外面側及び内面側から交互に挿通される。また、紐体１２は、留め具１３が止められた状態で、その両端が一体に結ばれる。
【００２２】
留め具１３は、紐体１２に固定される。留め具１３は、紐体１２に対して移動可能に構成され、紐体１２に固定される位置を調整可能に構成される。留め具１３は、例えば、紐体１２を挿入可能な孔がそれぞれ設けられた基体及び可動体を有し、基体及び可動体の孔部がずれる方向に可動体を付勢するスプリングを有する、所謂ケーブルストッパーである。留め具１３は、紐体１２を胴部２１に対して引っ張り、口部２３を絞ったときに、胴部２１に接触する位置で紐体１２に固定されることで、紐体１２が胴部２１側に移動することを規制する。
【００２３】
図２に示すように、溶着部２５は、袋体１１の長手方向に沿って設けられ、袋体１１の幅方向の縁部を構成する一対の第１溶着部２５ａと、底部２２の上縁、即ち、底部２２の口部２３側の縁を構成する第２溶着部２５ｂと、口部２３の下縁、即ち口部２３の底部２２側の縁を構成する第３溶着部２５ｃと、を含む。
【００２４】
このように構成されたレッグカバー１の製造方法の一例を説明する。  
先ず、袋体１１の長手方向の長さよりも長いシート部材１１ａを形成する。次いで、当該シート部材１１ａに、孔部２４を構成する複数の孔又は切欠を形成する。次いで、シート部材１１ａの孔又は切欠が形成された一端を折り返し、当該折り返した部位を、当該部位の端部で溶着することで、口部２３を構成する折り返し部を構成する。次に、形成した折り返し部を対向させて、一対のシート部材１１ａを位置合わせし、一対のシート部材１１ａの他端を折り曲げる。
【００２５】
このとき、一方のシート部材１１ａの折り曲げた部位が他方のシート部材１１ａの折り曲げた部位の外面側となるように、一対のシート部材１１ａを重ね合わせる。次いで、一対のシート部材１１ａの長手方向に沿った外縁及び底部２２を構成する部位を溶着する。これにより、溶着部２５により一体に構成された袋体１１が形成される。
【００２６】
次いで、紐体１２が袋体１１の外面及び内面に交互に位置するように、紐体１２を孔部２４に挿通させる。次いで、紐体１２の両端を一体にして環状とし、一体とした両端に留め具１３を挿入する。次いで、留め具１３が抜けないように紐体１２の両端を結ぶ。これらの工程により、レッグカバー１が構成される。
【００２７】
このように構成されたレッグカバー１の使用の一例を以下、説明する。先ず、レッグカバー１の保管時等のように、脚１１０に取り付けていないときは、溶着された一対のシート部材１１ａが重なり合って構成されることから、シート状で保管される。
【００２８】
レッグカバー１の使用時、即ちレッグカバー１を脚１１０に装着するときには、先ず、留め具１３を紐体１２の結び目まで移動させ、口部２３を開く。次いで、脚１１０を口部２３から挿入し、脚１１０の石突１１０ａが底部２２に位置するまで、レッグカバー１を脚１１０に沿って移動させる。これにより、筒状のレッグカバー１が脚１１０の先端から中途部までを覆う。
【００２９】
次いで、留め具１３を結び目から袋体１１に当接し、さらに袋体１１を押圧するように移動させる。これにより、口部２３が紐体１２及び留め具１３により閉じられるとともに、当該状態が維持される。結果、胴部２１の口部２３側の内面が脚１１０の内面と当接するとともに、胴部２１が下がることが規制される。
【００３０】
上述の工程により、脚１１０は、レッグカバー１により覆われる。  
なお、袋体１１は、口部２３の下方側が樹脂材料により構成されたシート部材１１ａが紐体１２により絞られて脚１１０に取り付けられる構成であることから、胴部２１が脚１１０に密着することなく、紐体１２が設けられた位置の胴部２１の内面と脚１１０との間に所定の隙間が生じる。
【００３１】
このように構成されたレッグカバー１によれば、防水性を有するシート部材１１ａで構成され、脚１１０の下端側を覆うことで、脚１１０に水や砂等の異物が侵入することを防止できる。また、レッグカバー１は、繰り返し使用したときに負荷が加わる底部２２及び口部２３を二重にすることで、寿命を向上させることが可能となる。
【００３２】
また、底部２２は、第１溶着部２５ａ及び第２溶着部２５ｂにより囲われる範囲の一対のシート部材１１ａにより構成される。このため、外面側を構成する一方のシート部材１１ａが損傷して穴が空いたとしても、内面側を構成する他方のシート部材１１ａにより、内部に水や砂等が侵入することを防止できる。
【００３３】
さらに、底部２２をこのような構成とすることで、溶着部２５が袋体１１の下端に位置することを防止できる。即ち、三脚１００にレッグカバー１を用いたときに石突１１０ａと設置面との間に位置する底部２２の一部は、溶着部２５を含まない構成である。このため、三脚１００にレッグカバー１を装着して三脚１００を設置したときに、溶着部２５上に石突１１０ａが位置することがなく、レッグカバー１は、三脚１００に装着されたときに三脚１００が不安定になることを防止できる。
【００３４】
具体的に説明すると、溶着によって生じる溶着部２５は、溶着していないシート部材１１ａに比べて硬く、変形しにくい。このため、石突１１０ａと設置面との間に溶着部２５があると、石突１１０ａが設置面から浮いた状態となり、設置された三脚１００が安定しない虞があるものの、本実施形態のレッグカバー１は、溶着部２５が石突１１０ａと設置面との間に配置されない構成であることから、三脚１００の安定性が低下することを防止できる。
【００３５】
さらに、脚１１０にレッグカバー１を固定する構成を、袋体１１を紐体１２で固定する構成とすることで、袋体１１が脚１１０から落ちることを防止できるとともに、袋体１１内面と脚１１０の外面との間に隙間が生じる構成である。これにより、袋体１１を脚１１０に取り付けたときに、袋体１１内の空気が外部に逃げることができる。結果、水中にレッグカバー１を取り付けた脚１１０を配置するときに、浮力が生じて三脚１００のバランスが崩れることがない。即ち、レッグカバー１を用いたとしても、三脚１００を安定して使用することができる。
【００３６】
また、レッグカバー１は、使用しないときにシート状に構成されることから、保管時においては、シート状で保管するか、又は、折りたたんだり、丸めたりすることで保管できる。即ち、レッグカバー１は、大きな収容スペースを要しないことから、利便性が高い。特に、屋外で撮影する場合に、使用するか否かが不明なときでも、持ち運びが容易となり、高い使用性を有する。
【００３７】
また、レッグカバー１は、防水性を有するシート部材１１ａで構成することで、使用後の清掃等においては、水洗い等が可能であり、使用性も高い。
【００３８】
上述したように、本発明の一実施形態に係るレッグカバー１によれば、脚１１０に取り付けることで、三脚１００の使用時に脚１１０の内部に異物が侵入することを防止できる。
【００３９】
なお、本発明は上記実施形態に限定されるものではない。例えば、上述した例では、袋体１１は、複数の孔又は切欠からなる孔部２４を有し、この孔部２４に紐体１２を挿通させる構成を説明したがこれに限定されない。例えば、胴部２１の幅方向に沿って、胴部２１の長手方向の縁部を口部２３に隣接する胴部２１に溶着することで、紐体１２を取り付ける孔部２４を構成してもよい。
【００４０】
また、胴部２１及び紐体１２の固定を留め具１３で行う構成を説明したがこれに限定されず、例えば、留め具１３を用いずに、紐体１２を使用時に結ぶ構成であってもよい。
【００４１】
即ち、本発明は、上記実施形態に限定されるものではなく、実施段階ではその要旨を逸脱しない範囲で種々に変形することが可能である。また、各実施形態は適宜組み合わせて実施してもよく、その場合組み合わせた効果が得られる。更に、上記実施形態には種々の発明が含まれており、開示される複数の構成要件から選択された組み合わせにより種々の発明が抽出され得る。例えば、実施形態に示される全構成要件からいくつかの構成要件が削除されても、課題が解決でき、効果が得られる場合には、この構成要件が削除された構成が発明として抽出され得る。
【符号の説明】
【００４２】
１…レッグカバー、１１…袋体、１１ａ…シート部材、１２…紐体、１３…留め具、２１…胴部、２２…底部、２３…口部、２４…孔部、２５…溶着部、２５ａ…第１溶着部、２５ｂ…第２溶着部、２５ｃ…第３溶着部、１００…三脚、１１０…脚、１１０ａ…石突、１２０…基部、１３０…雲台。
【図１】
2018138977.tif 000003
【図２】
2018138977.tif 000004